(57)【要約】      （修正有）【課題】画像読取装置で読み取った画像データに対して鏡像処理を行うか否かを判断し、設定ミスによるミスコピー／ＦＡＸ／データ送信を低減できる。【解決手段】原稿台ガラス１０１に着脱可能で、マーカペン１２０により情報を書込み、イレーザにより書込んだ情報を消去することが可能な透明カバー１０６と、透明カバー１０６が原稿台ガラス１０１に対して着状態であるか脱状態であるかを検知するセンサ１１２と、センサ１１２により透明カバー１０６が着状態であることを検知したときに、スキャナユニット１０２により読み取った画像データに対して、画像処理部により鏡像処理を行うよう制御する制御部とを備える。【選択図】図１
2011061277.tif 000002
【特許請求の範囲】
【請求項１】
原稿台に戴置された原稿を読み取る読み取り手段と、前記読み取り手段により読み取った前記原稿に基づく画像データに処理を行う画像処理手段と、を備える画像読取装置であって、
前記原稿台に着脱可能で、書込み手段により情報を書込み、消去手段により前記書込み手段により書込んだ情報を消去することが可能な透明カバーと、
前記透明カバーが前記原稿台に対して着状態であるか脱状態であるかを検知する検知手段と、
前記検知手段により前記透明カバーが着状態であることを検知したときに、前記読み取り手段により読み取った画像データに対して、前記画像処理手段により鏡像処理を行うよう制御する制御手段と、
を備えることを特徴とする画像読取装置。
【請求項２】
原稿台に戴置された原稿を読み取る読み取り手段と、前記読み取り手段により読み取った前記原稿に基づく画像データに処理を行う画像処理手段と、を備える画像読取装置であって、
前記画像読取装置に回動可能に設置され、書込み手段により情報を書込み、消去手段により前記書込み手段により書込んだ情報を消去することが可能な透明カバーと、
前記画像読取装置に回動可能に設置され、前記透明カバーに連結して開閉動作を行う連結状態と前記透明カバーから独立して開閉動作を行う独立状態とがあるカバーと、
前記透明カバーが開状態か閉状態かを検知する第一検知手段と、
前記カバーが開状態か閉状態かを検知する第二検知手段と、
前記透明カバー及び前記カバーの開閉動作に伴う前記第一検知手段及び前記第二検知手段による検知結果を記憶する記憶手段と、
前記記憶手段に記憶された前記開閉動作に伴う検知結果に基づき、前記透明カバーと前記カバーとが前記連結状態であるか前記独立状態であるかを判断する制御手段と、
を備え、
前記制御手段は、前記透明カバーと前記カバーとが前記独立状態であると判断したときに、前記読み取り手段により読み取った画像データに対して、前記画像処理手段により鏡像処理を行うよう制御することを特徴とする画像読取装置。
【請求項３】
前記制御手段は、前記第一検知手段が前記透明カバーの閉状態を検知している間に、前記第二検知手段により前記カバーの開状態を検知したあと閉状態を検知したときに、前記独立状態であると判断することを特徴とする請求項２に記載の画像読取装置。
【請求項４】
請求項１乃至３のいずれか１項に記載の画像読取装置を備え、
前記画像処理手段により処理した画像データに基づき画像形成を行うことを特徴とする画像形成装置。
【発明の詳細な説明】
【技術分野】
【０００１】
本発明は、例えばコピー機、ファクシミリ機のように原稿の読取機能を備えた画像読取装置及びこれを備えた画像形成装置に関し、特に書込み、消去可能な透明板を備える画像読取装置の読み取り制御に関する。
【背景技術】
【０００２】
従来、簡単なメモ書き程度の短い内容をファクシミリで伝達する場合や、電子データに変換して保管する場合、用紙にメッセージを記入して、それをスキャナで読み取った後、その用紙はゴミ箱へ廃棄される。このような簡単なメモ書き程度の短い内容のメッセージが記入された用紙は保存されることは稀であり、必要でない資源の消費が生じている。また、コンビニエンスストアや図書館などの公共施設に設置されている複写機を使用する際など、メッセージを記入する用紙を持っていないユーザが困る場合がある。
【０００３】
これを解決するために、画像読取装置にペンやマーカなどで直接書込み・消去可能な構成で、原稿用紙なしでも、相手方に文字や図形等の画像を送信することができ、簡単なメモ書き程度の内容を伝達することができる画像読取装置が提案されている。例えば特許文献１のように、圧板裏側にホワイトボードマーカで書込み可能な構成が提案されている。また、特許文献２のように、原稿台ガラスの表面がマーカペンで書込み・消去可能な構成が提案されている。
【先行技術文献】
【特許文献】
【０００４】
【特許文献１】特開平９−２９８６２１号公報
【特許文献２】特開昭６２−７５５５８号公報
【発明の概要】
【発明が解決しようとする課題】
【０００５】
しかしながら、特許文献１のような圧板裏側に書込みを行う構成では、圧板を立てた状態で書込みしなくてはならず書込みにくいという問題があった。これに対し特許文献２では、ユーザの書込み方向がガラス上方からであるため書込みやすい構成であったが、通常の読み取り時とは異なり画像情報が鏡像となるため鏡像処理を行う設定をする必要があり、この設定を忘れるとミスコピーとなっていた。
【０００６】
本発明は、このような状況の下で成されたもので、画像読取装置で読み取った画像データに対して鏡像処理を行うか否かを判断し、設定ミスによるミスコピー／ＦＡＸ／データ送信を低減することを課題とする。
【課題を解決するための手段】
【０００７】
前記課題を解決するために、本発明は以下の構成を備える。
（１）原稿台に戴置された原稿を読み取る読み取り手段と、前記読み取り手段により読み取った前記原稿に基づく画像データに処理を行う画像処理手段と、を備える画像読取装置であって、前記原稿台に着脱可能で、書込み手段により情報を書込み、消去手段により前記書込み手段により書込んだ情報を消去することが可能な透明カバーと、前記透明カバーが前記原稿台に対して着状態であるか脱状態であるかを検知する検知手段と、前記検知手段により前記透明カバーが着状態であることを検知したときに、前記読み取り手段により読み取った画像データに対して、前記画像処理手段により鏡像処理を行うよう制御する制御手段と、を備えることを特徴とする画像読取装置。
（２）原稿台に戴置された原稿を読み取る読み取り手段と、前記読み取り手段により読み取った前記原稿に基づく画像データに処理を行う画像処理手段と、を備える画像読取装置であって、前記画像読取装置に回動可能に設置され、書込み手段により情報を書込み、消去手段により前記書込み手段により書込んだ情報を消去することが可能な透明カバーと、前記画像読取装置に回動可能に設置され、前記透明カバーに連結して開閉動作を行う連結状態と前記透明カバーから独立して開閉動作を行う独立状態とがあるカバーと、前記透明カバーが開状態か閉状態かを検知する第一検知手段と、前記カバーが開状態か閉状態かを検知する第二検知手段と、前記透明カバー及び前記カバーの開閉動作に伴う前記第一検知手段及び前記第二検知手段による検知結果を記憶する記憶手段と、前記記憶手段に記憶された前記開閉動作に伴う検知結果に基づき、前記透明カバーと前記カバーとが前記連結状態であるか前記独立状態であるかを判断する制御手段と、を備え、前記制御手段は、前記透明カバーと前記カバーとが前記独立状態であると判断したときに、前記読み取り手段により読み取った画像データに対して、前記画像処理手段により鏡像処理を行うよう制御することを特徴とする画像読取装置。
（３）前記（１）又は（２）に記載の画像読取装置を備え、前記画像処理手段により処理した画像データに基づき画像形成を行うことを特徴とする画像形成装置。
【発明の効果】
【０００８】
本発明によれば、画像読取装置で読み取った画像データに対して鏡像処理を行うか否かを判断し、設定ミスによるミスコピー／ＦＡＸ／データ送信を低減できる。
【図面の簡単な説明】
【０００９】
【図１】実施例１の画像読取装置と透明カバーの概略図
【図２】実施例１の制御系を示すブロック図
【図３】実施例１の処理を説明するフローチャート
【図４】実施例２の画像読取装置の概略図とセンサ、連結部材の概略拡大図
【図５】実施例２の制御系を示すブロック図
【図６】実施例２の画像読取装置に透明カバーをセットした状態を示す図
【図７】実施例２の処理を説明するフローチャート
【発明を実施するための形態】
【００１０】
以下に、本発明に係わる実施の形態を、図面を参照して詳しく説明する。ただし、この実施の形態に記載されている構成要素はあくまで例示であり、特に特定的な記載がない限りは、この発明の範囲をそれらのみに限定する趣旨のものではない。
【実施例１】
【００１１】
［画像読取装置の構成］
実施例１の画像読取装置と、この画像読取装置を備えた画像形成装置を、図面を参照しながら説明する。図１（ａ）は、本実施例の画像読取装置を示す図である。本体１００の上部には原稿台ガラス１０１、スキャナユニット１０２、原稿台カバー１０３が設けられる。スキャナユニット１０２は原稿台ガラス１０１の下方にあり、原稿台ガラス１０１に載置された原稿をスキャナユニット１０２が移動しながら走査することにより原稿の画像が光学的に読み取られる。原稿台カバー１０３は、ヒンジ１０５によって本体１００に対して回動可能に設置され、スキャナユニット１０２が原稿を読み取る際には閉じられ、外光が入らないよう遮光するために原稿台ガラス１０１を覆っている。スキャナユニット１０２で読み取られた原稿の画像は、後述する画像処理部３０１で電気信号に変換され、画像データとして後述する画像メモリ３０２に蓄えられる（図２参照）。この画像データは、ファクシミリ（ファックス、以下ＦＡＸと記す）、電子メールなどのデータ送信や、電子写真の作像時に用いられる。
【００１２】
［透明カバーの構成］
次に、本発明の特徴的な部分について述べる。透明カバー１０６は、マーカペン１２０（図１（ｂ）参照）等による書込み、消去可能なように、表層にフッ素樹脂などの樹脂コーティングが形成された透明なカバーである。透明カバー１０６は、本体１００に着脱可能な構成である。透明カバー１０６にはガイドピン１０７が取り付けられ、ユーザが透明カバー１０６を本体１００にセットする際は、図１（ｃ）に示すようにガイドピン１０７を本体１００の上面に設けられているガイド穴１０４に嵌める。
【００１３】
図１（ｃ）に示すようにガイド穴１０４の内部にはバネ１１０で付勢されたセンサフラグ１１１が設けられ、透明カバー１０６がセットされると、センサフラグ１１１はガイドピン１０７に押されて鉛直方向下方に移動する。鉛直方向下方に移動したセンサフラグ１１１は、センサ１１２によって下方方向に移動したことが検知される。センサ１１２は、透過光の遮蔽で検知する光学式センサや、機械的にスイッチが押されて検知するメカセンサなどのいずれでも良い。
【００１４】
ユーザは、透明カバー１０６を本体１００にセットした後、図１（ｂ）に示すように、書込み手段であるマーカペン１２０等で透明カバー１０６に文字情報や図形情報などの画像情報を書込む。このとき、透明カバー１０６に書かれた（又は、描かれた）画像情報は、通常のコピー／ＦＡＸ／データ送信の場合と異なり、鏡像の関係にある。すなわち、通常のコピー／ＦＡＸ／データ送信の場合は、用紙の画像情報がある面を伏せて原稿台ガラス１０１に原稿である用紙を載置しており、透明カバー１０６に描かれた画像情報とは鏡像関係になることが分かる。透明カバー１０６に書込まれた画像情報を、コピー／ＦＡＸ／データ送信など行うために、本体１００の不図示のスタートボタンを押下すると、スキャナユニット１０２が画像を読み取る。なお、ユーザがマーカペン１２０で透明カバー１０６に記載した情報は、例えば不図示の消去手段であるイレーザ等で消去する。
【００１５】
［制御部について］
図２は本実施例の制御を示すブロック図である。透明カバー１０６のガイドピン１０７がセンサフラグ１１１を押下することでセンサ１１２により送信された検知結果に基づき、制御部３０３は、透明カバー１０６がセットされているか否かを判断する。例えば、制御部３０３は、センサ１１２がオン信号（ＯＮ）を出力しているときに、透明カバー１０６が本体１００に着状態、すなわちセットされていると判断する。一方、制御部３０３は、センサ１１２がオフ信号（ＯＦＦ）であるときに、透明カバー１０６は本体１００に脱状態、すなわちセットされておらず通常の原稿がセットされていると判断する。制御部３０３は、透明カバー１０６がセットされていると判断した場合、画像処理部３０１に鏡像処理を施すように指示し、画像処理部３０１はスキャナユニット１０２で読み取られた画像データを電気信号に変換する際、鏡像処理を施す。そして、画像処理部３０１で鏡像処理が施された画像データは、画像メモリ３０２に蓄えられる。
【００１６】
ここで、鏡像処理とは、読み取った画像情報を左右反転させる処理のことを言う。具体的には、スキャナユニット１０２による読み取り開始時に、読み取り開始ポイントから主走査方向に画像情報を読み取り、その後、１ラインずつ副走査方向に移動しながら順次画像情報を読み取っていく。そして、スキャナユニット１０２が順番に読み取った主走査方向の画像情報を、逆順に並べ替えたものが鏡像処理である。ここでは、主走査方向の画像情報を並べ替えたもので説明したが、副走査方向の画像情報を逆に並べ替えたものでも良い。なお、主走査方向とはスキャナユニット１０２の移動方向である副走査方向に対し直交する方向である。
【００１７】
画像メモリ３０２に蓄えられた画像データは、出力装置においてコピー／ＦＡＸ／データ送信の既知の作像プロセス、もしくは、電送プロセスに用いられ、動作を終了する。
【００１８】
［原稿読み取り動作］
図３は本実施例の画像読み取り動作の制御を示すフローチャートである。ユーザがコピー／ＦＡＸ／データ送信動作を開始するためのスタートボタンを押下し、原稿読み取りが開始される（ステップ１０１、以下Ｓ１０１のように記す）。スキャナユニット１０２が移動しながら原稿台ガラス１０１にセットされた透明カバー１０６又は戴置された通常の原稿を走査することにより透明カバー１０６又は通常の原稿の画像情報が光学的に読み取られる（Ｓ１０２）。Ｓ１０３で制御部３０３が、透明カバー１０６がセットされているか否かをセンサ１１２の検知結果から判断する。Ｓ１０３で制御部３０３は、透明カバー１０６がセットされている（センサ１１２  オン）と判断した場合には、画像処理部３０１は読み取った画像に対して鏡像処理を行い、画像メモリ３０２に保存する（Ｓ１０４）。出力装置である画像形成装置は、鏡像処理された画像情報を用い、コピー／ＦＡＸ／データ送信（画像形成装置動作）などを行い（Ｓ１０５）、ジョブを終了する。
【００１９】
Ｓ１０３で制御部３０３が、透明カバー１０６がセットされていない（センサ１１２  オフ）と判断した場合には、画像処理部３０１は読み取った画像に対して通常処理を行う（Ｓ１０６）。出力装置である画像形成装置は、通常処理された画像情報を用い、コピー／ＦＡＸ／データ送信などを行い（Ｓ１０７）、ジョブを終了する。
【００２０】
本実施例によれば、画像読取装置で読み取った画像データに対して鏡像処理を行うか否かを判断し、ユーザの設定ミスによるミスコピー／ＦＡＸ／データ送信を低減できる。
【実施例２】
【００２１】
［原稿台カバーと透明カバーの構成］
図４（ａ）は実施例２を示す図である。透明カバー１０６は、原稿台カバー１０３と同様、ヒンジ１０５によって本体１００に対して回動可能に設置されている。そして、透明カバー１０６は、連結部材２１０によって、通常は原稿台カバー１０３と連結状態にあり、原稿台カバー１０３の開閉動作と連動して開閉される。透明カバー１０６は、透明カバーセンサフラグ２０１を備え、透明カバー１０６の開閉動作によって、透明カバーセンサフラグ２０１が本体上部にあるセンサフラグガイド２０３に出没する。同様に、原稿台カバー１０３は、原稿台カバーセンサフラグ２０２を備え、原稿台カバー１０３の開閉動作によって、原稿台カバーセンサフラグ２０２がセンサフラグガイド２０３に出没する。
【００２２】
図４（ｂ）に示すように、透明カバー１０６を閉じると、透明カバーセンサフラグ２０１が第一検知手段である透明カバーセンサ２０４の検知領域に到達し、透明カバー１０６が閉じたことが検知される。同様に、原稿台カバー１０３を閉じると、図４（ｂ）に示すように、原稿台カバーセンサフラグ２０２が第二検知手段である原稿台カバーセンサ２０５の検知領域に到達し、原稿台カバー１０３が閉じたことが検知される。図４（ｂ）は透明カバー１０６と原稿台カバー１０３の両方が閉じた状態を示す。図４（ｃ）に示すように、透明カバー１０６を閉じた状態のまま、原稿台カバー１０３を開けると、原稿台カバーセンサフラグ２０２が原稿台カバーセンサ２０５の検知領域から抜け、原稿台カバー１０３が開いたことが検知される。
【００２３】
次に、透明カバー１０６にマーカペン１２０などで書込みを行い、書込んだ画像情報を読み込むときの動作について説明する。通常使用時、透明カバー１０６は、図４（ｄ）に示すように連結部材２１０がバネ２１１によって付勢されており、原稿台カバー１０３と連結状態にある。ユーザが連結部材２１０を引っ張り解除すると、原稿台カバー１０３は、透明カバー１０６と独立して開閉動作ができる独立状態となる。
【００２４】
［制御部について］
図５は本実施例の制御ブロック図である。実施例１で説明した図２と共通するブロックには同一の符号を付す。透明カバー１０６を本体１００側に残し、原稿台カバー１０３を独立して開け、図６に示すように、マーカペン１２０などで透明カバー１０６に書込みを行う。書込み終了後、原稿台カバー１０３を閉じ、不図示のスタートボタンを押下すると、スキャナユニット１０２が画像情報を読み取る。これらの動作の間、記憶手段であるセンサメモリ３０４は、透明カバーセンサ２０４と原稿台カバーセンサ２０５の開閉動作の状態遷移を情報として蓄える。例えば、原稿台カバー１０３を独立して開けた場合、センサメモリ３０４は、
透明カバーセンサ２０４        閉→閉→閉・・・（１−１）
原稿台カバーセンサ２０５      閉→開→閉・・・（１−２）
の推移状態を情報として蓄える。なお、ユーザが透明カバー１０６に画像情報を書込む前又は通常の原稿をセットする前には、原稿台カバー１０３（及び透明カバー１０６）は閉じられているものとする。
【００２５】
また、原稿台カバー１０３と透明カバー１０６が連結状態で開閉動作を行った場合、センサメモリ３０４は、
透明カバーセンサ２０４        閉→開→閉・・・（２−１）
原稿台カバーセンサ２０５      閉→開→閉・・・（２−２）
の推移状態を情報として蓄える。なお、例えば、原稿台カバー１０３が開状態のとき原稿台カバーセンサ２０５はオフ信号（ＯＦＦ）であり、閉状態のときオン信号（ＯＮ）を出力するものとする。また、例えば、透明カバー１０６が開状態のとき透明カバーセンサ２０４はオフ信号（ＯＦＦ）であり、閉状態のときオン信号（ＯＮ）を出力するものとする。透明カバー１０６に書込まれた文字情報や図形情報などの画像情報を、コピー／ＦＡＸ／データ送信などを行うために、スタートボタンを押下すると、スキャナユニット１０２が画像を読み取る。
【００２６】
制御部３０３は、前述した手段によりセンサメモリ３０４に蓄えられた情報から、原稿台カバー１０３が独立して開けられた独立状態であると判断した場合、画像処理部３０１に鏡像処理を施すように指示する。画像処理部３０１は、スキャナユニット１０２で読み取られた画像データを電気信号に変換する際、鏡像処理を施し、画像データとして画像メモリ３０２に蓄える。画像メモリ３０２に蓄えられたデータは、出力装置においてコピー／ＦＡＸ／データ送信の既知の作像プロセス、もしくは、電送プロセスに用いられ、動作を終了する。
【００２７】
［原稿読み取り動作］
図７は本実施例におけるフローチャートである。ユーザが原稿台カバー１０３を開ける（原稿台カバーセンサ２０５  オフ（図中、単に「センサ２０５」と記す））（Ｓ２０１）。Ｓ２０２で制御部３０３は、透明カバー１０６が閉じているか否かを判断し、透明カバー１０６が閉じている（透明カバーセンサ２０４  オン（図中、単に「センサ２０４と記す」））と判断すると、Ｓ２０３の処理に進む。Ｓ２０２のＹとなる分岐は、ユーザが透明カバー１０６にマーカペン１２０によって画像情報を記載している状態で、原稿台カバー１０３と透明カバー１０６とは独立状態である。ユーザが透明カバー１０６にマーカペン１２０によって画像情報を記載し終えると、原稿台カバー１０３が閉じられる（原稿台カバーセンサ２０５  オン）（Ｓ２０３）。ここで、ユーザの一連の動作により、センサメモリ３０４は、上述した（１−１）、（１−２）の状態遷移の情報を蓄える。ユーザがスタートボタンを押下すると（Ｓ２０４）、スキャナユニット１０２が移動しながら走査することにより透明カバー１０６の画像情報が光学的に読み取られる（Ｓ２０５）。制御部３０３は、センサメモリ３０４に蓄えられた情報に基づき、画像処理部３０１により読み取った画像に対して鏡像処理を行うよう制御する（Ｓ２０６）。出力装置である画像形成装置は、鏡像処理された画像情報を用い、コピー／ＦＡＸ／データ送信など（画像形成装置動作）を行い（Ｓ２０７）、ジョブを終了する。
【００２８】
Ｓ２０２で制御部３０３は、透明カバー１０６が開いている（透明カバーセンサ２０４  オフ）と判断すると、Ｓ２０８の処理に進む。Ｓ２０２のＮとなる分岐は、ユーザが通常の原稿をセットした状態で、原稿台カバー１０３と透明カバー１０６とは連結状態である。ユーザが通常の原稿をセットし終えると、原稿台カバー１０３と共に透明カバー１０６が閉じられる（原稿台カバーセンサ２０５  オン、透明カバーセンサ２０４  オン）（Ｓ２０８）。ここで、ユーザの一連の動作により、センサメモリ３０４は、上述した（２−１）、（２−２）の状態遷移の情報を蓄える。ユーザがスタートボタンを押下すると（Ｓ２０９）、スキャナユニット１０２が移動しながら走査することによりセットされた通常の原稿の画像情報が光学的に読み取られる（Ｓ２１０）。制御部３０３は、センサメモリ３０４に蓄えられた情報に基づき、画像処理部３０１により読み取った画像に対して通常処理を行うよう制御する（Ｓ２１１）。出力装置である画像形成装置は、通常処理された画像情報を用い、コピー／ＦＡＸ／データ送信などを行い（Ｓ２１２）、ジョブを終了する。
【００２９】
本実施例によれば、原稿台カバーと同様に本体に対して回動可能に設置された透明カバーを備える場合でも、画像読取装置で読み取った画像データに対して鏡像処理を行うか否かを判断することができる。そして、ユーザの設定ミスによるミスコピー／ＦＡＸ／データ送信を低減できる。
【符号の説明】
【００３０】
１０２      スキャナユニット
１０６      透明カバー
１１２      センサ
３０１      画像処理部
３０３      制御部
【図１】
2011061277.tif 000003
【図２】
2011061277.tif 000004
【図３】
2011061277.tif 000005
【図４】
2011061277.tif 000006
【図５】
2011061277.tif 000007
【図６】
2011061277.tif 000008
【図７】
2011061277.tif 000009